(57)【要約】【課題】  本発明は、防水性に優れ、強度を確保出来、製作容易な通気壁用土台水切り材及びこれを備えた通気壁用土台構造を提供する。【解決手段】  建物の壁下地２に取り付けられる壁取付片１ａの下部から内部通気穴1b1を有する繋ぎ片１ｂが折曲され、該繋ぎ片１ｂの端部から壁取付片１ａとの間に縦胴縁３が挿入出来る空間分だけ隔てて縦胴縁取付片１ｃが起立され、該縦胴縁取付片１ｃの上部に外壁材４の下部を載置するスタータ片１ｄが形成され、該スタータ片１ｄの先端から縦胴縁取付片１ｃに沿って折り返し片１ｅが折り返され、該折り返し片１ｅの終端部から建物の外側に向かって傾斜片１ｆが折曲され、該傾斜片１ｆの端部から水切り片１ｇが垂下し、該水切り片１ｇの下部から建物の内側に向かって外部通気穴1h1を有する底片１ｈが折曲され、壁取付片１ａの下部と、底片１ｈとの間に開口部７を有する土台水切り材１である。【選択図】      図１
2011236704.tif 000002
【特許請求の範囲】
【請求項１】
建物の壁下地に縦胴縁が固定され、該縦胴縁に外壁材が固定されて、前記壁下地の表面と前記外壁材の裏面との間に通気空間が形成された通気壁用土台水切り材であって、
建物の壁下地に取り付けられる壁取付片と、
前記壁取付片の下部から建物の外側に向かって略水平に折曲され、内部通気穴を有する繋ぎ片と、
前記繋ぎ片の端部から前記壁取付片との間に前記縦胴縁が挿入できる空間分だけ隔てて起立され、前記縦胴縁に固定される縦胴縁取付片と、
前記縦胴縁取付片の上部に形成され、前記外壁材の下部を載置するスタータ片と、
前記スタータ片の先端から前記縦胴縁取付片に沿って折り返した折り返し片と、
前記折り返し片の終端部から所定の水勾配を有して建物の外側に向かって折曲される傾斜片と、
前記傾斜片の端部から垂下する水切り片と、
前記水切り片の下部から建物の内側に向かって折曲され、外部通気穴を有する底片と、
を有して、一体成形され、
前記壁取付片の下部と、前記底片との間に開口部を有することを特徴とする通気壁用土台水切り材。
【請求項２】
請求項１に記載の通気壁用土台水切り材を備えた通気壁用土台構造であって、
前記通気壁用土台水切り材の前記壁取付片を建物の壁下地に固定し、
前記通気壁用土台水切り材の前記壁取付片と前記繋ぎ片と前記縦胴縁取付片とにより形成された空間内に前記縦胴縁の下端部を挿入すると共に、前記折り返し片と、前記縦胴縁取付片と、前記縦胴縁と、前記壁取付片とを一体的に建物の壁下地に固定し、
前記通気壁用土台水切り材の前記壁取付片の下部と前記底片との間に設けた開口部を介して建物の床下に通気が出来るように構成したことを特徴とする通気壁用土台構造。
【発明の詳細な説明】
【技術分野】
【０００１】
本発明は、建物の壁下地に縦胴縁が固定され、該縦胴縁に外壁材が固定されて、前記壁下地の表面と前記外壁材の裏面との間に通気空間が形成された通気壁用土台水切り材、及びそれを備えた通気壁用土台構造に関するものである。
【背景技術】
【０００２】
従来、土台水切りから建物の壁体内或いは床下に通気を取り入れる技術や土台水切りに外壁材の１段目を装着するスタータを付加した技術が例えば特許文献１〜５により提案されている。
【先行技術文献】
【特許文献】
【０００３】
【特許文献１】特公平０５−０４３８２５号公報
【特許文献２】実用新案登録第３１２９２２１号公報
【特許文献３】特開平１０−０４６６８７号公報
【特許文献４】特開２００４−１５６３０２号公報
【特許文献５】特開平０８−１８４１５７号公報
【発明の概要】
【発明が解決しようとする課題】
【０００４】
しかしながら、特許文献１、２の技術では、土台水切りと、外壁材用スタータ金具とが別部材で構成されるため取付作業が面倒であった。また、特許文献３、４の技術では土台水切りと、外壁材用スタータとが一部材で構成されるため取付作業が容易ではあるが、縦胴縁の外側に土台水切り材が固定される構成とする点では、壁下地の表面と外壁材の裏面との間で縦胴縁により構成される通気空間内に侵入した雨水の排出に考慮すると、土台水切りの立ち上がり固定部を一般に防水層とする縦胴縁と壁下地表面との間に取り付けた方が好ましく、このような構成とすると、壁下地表面に固定される土台水切り材の固定部と、外壁材用スタータとの離間距離が大きくなり外壁材の下部を支持するスタータの強度が低下してしまうという問題があった。また、特許文献５の技術では外壁材用スタータを有さず、胴縁の裏面側に土台水切り部材を設けたり、胴縁の表裏面の両側を挟み込んだ土台水切り部材を設けたりしているが、胴縁の表裏面の両側を挟み込んだ土台水切り部材では形状が袋状になってしまうためベンダー加工による成形、或いはロールフォーミング成形の場合等のプレスによる切断が困難となり特殊な加工技術を要するといった問題があった。
【０００５】
本発明は前記課題を解決するものであり、その目的とするところは、防水性に優れ、強度を確保出来、製作容易な通気壁用土台水切り材及びこれを備えた通気壁用土台構造を提供せんとするものである。
【課題を解決するための手段】
【０００６】
前記目的を達成するための本発明に係る通気壁用土台水切り材は、建物の壁下地に縦胴縁が固定され、該縦胴縁に外壁材が固定されて、前記壁下地の表面と前記外壁材の裏面との間に通気空間が形成された通気壁用土台水切り材であって、建物の壁下地に取り付けられる壁取付片と、前記壁取付片の下部から建物の外側に向かって略水平に折曲され、内部通気穴を有する繋ぎ片と、前記繋ぎ片の端部から前記壁取付片との間に前記縦胴縁が挿入出来る空間分だけ隔てて起立され、前記縦胴縁に固定される縦胴縁取付片と、前記縦胴縁取付片の上部に形成され、前記外壁材の下部を載置するスタータ片と、前記スタータ片の先端から前記縦胴縁取付片に沿って折り返した折り返し片と、前記折り返し片の終端部から所定の水勾配を有して建物の外側に向かって折曲される傾斜片と、前記傾斜片の端部から垂下する水切り片と、前記水切り片の下部から建物の内側に向かって折曲され、外部通気穴を有する底片とを有して、一体成形され、前記壁取付片の下部と、前記底片との間に開口部を有することを特徴とする。
【０００７】
また、本発明に係る通気壁用土台構造は、前記通気壁用土台水切り材を備えた通気壁用土台構造であって、前記通気壁用土台水切り材の前記壁取付片を建物の壁下地に固定し、前記通気壁用土台水切り材の前記壁取付片と前記繋ぎ片と前記縦胴縁取付片とにより形成された空間内に前記縦胴縁の下端部を挿入すると共に、前記折り返し片と、前記縦胴縁取付片と、前記縦胴縁と、前記壁取付片とを一体的に建物の壁下地に固定し、前記通気壁用土台水切り材の前記壁取付片の下部と前記底片との間に設けた開口部を介して建物の床下に通気が出来るように構成したことを特徴とする。
【発明の効果】
【０００８】
本発明に係る通気壁用土台水切り材は、例えば、スチール、ステンレス、アルミニウム等の１枚の金属板からベンダー加工、ロールフォーミング等により容易に成形出来る。繋ぎ片に設けられる内部通気穴と、底片に設けられる外部通気穴は切り板の状態で穴開け加工をすることにより容易に製作出来る。また、縦胴縁が挿入出来る空間と、床下に通気が出来るように開口させた開口部との２箇所の開放形状を有するため、全体の形状自体を極端な袋形状とすることを避けることが出来、ベンダー加工、或いはロールフォーミング成形の場合等のプレスによる切断が容易となる。壁取付片と縦胴縁取付片との間に縦胴縁の下端部を挿入させ、繋ぎ片からなる水切り自体を一般に防水層となる縦胴縁の下に取り付けることが出来るので、壁下地の表面と外壁材の裏面との間で縦胴縁により構成される通気空間内に侵入した雨水を繋ぎ片により容易に排水させることが出来る。また、スタータ片の直下の胴縁取付片を建物躯体に固定することが出来、スタータ片と胴縁取付片とが折り返し片により二重構造とされているためスタータ片の強度を向上させることが出来る。
【０００９】
本発明に係る通気壁用土台構造によれば、通気壁用土台水切り材の壁取付片を建物の壁下地に釘やビス等の固定具により固定し、通気壁用土台水切り材の壁取付片と繋ぎ片と縦胴縁取付片とにより形成された空間内に縦胴縁の下端部を挿入し、建物の外側から折り返し片と、縦胴縁取付片と、縦胴縁と、壁取付片とを一体的に建物の壁下地に釘やビス等の固定具により固定する。最下段となる１段目の外壁材の下部をスタータ片に載置して装着し、順次葺成して外壁材を縦胴縁に固定する。壁下地の表面と外壁材の裏面との間で縦胴縁により構成される通気空間内に侵入した雨水は繋ぎ片により一旦受けて内部通気穴から底片に排水され、更に外部通気穴から外部に排水される。通気壁用土台水切り材の底片に設けた外部通気穴と、壁取付片の下部と該底片との間に設けた開口部とを介して建物の床下に通気が出来、更に底片に設けた外部通気穴と、繋ぎ片に設けた内部通気穴とを介して、壁下地の表面と外壁材の裏面との間で縦胴縁により構成される通気空間内に通気出来る。基礎表面にモルタル仕上げを行う場合には、通気壁用土台水切り材の底片を定規としてモルタル上面の仕上げを容易に行うことが出来る。
【図面の簡単な説明】
【００１０】
【図１】本発明に係る通気壁用土台水切り材を備えた通気壁用土台構造を示す断面説明図である。
【図２】（ａ）は本発明に係る通気壁用土台水切り材の構成を示す斜視説明図、（ｂ）は本発明に係る通気壁用土台水切り材の構成を示す断面説明図である。
【発明を実施するための形態】
【００１１】
図１及び図２により本発明に係る通気壁用土台水切り材を備えた通気壁用土台構造の一実施形態を具体的に説明する。図１及び図２において、１は建物の壁下地２に縦胴縁３が固定され、該縦胴縁３に外壁材４が固定されて、該壁下地２の表面と外壁材４の裏面との間に通気空間５が形成された通気壁用土台水切り材１である。
【００１２】
土台水切り材１は、建物の壁下地２に釘やビス等の固定具６により取り付けられる壁取付片１ａと、該壁取付片１ａの下部から建物の外側（図１の左側）に向かって略水平に折曲され、内部通気穴1b1を有する繋ぎ片１ｂと、該繋ぎ片１ｂの端部から壁取付片１ａとの間に縦胴縁３が挿入出来る空間分だけ隔てて起立され、該縦胴縁３に固定される縦胴縁取付片１ｃと、該縦胴縁取付片１ｂの上部に形成され、外壁材４の下部を載置するスタータ片１ｄと、該スタータ片１ｄの先端から縦胴縁取付片１ｃに沿って折り返した折り返し片１ｅと、該折り返し片１ｅの終端部から所定の水勾配を有して建物の外側（図１の左側）に向かって折曲される傾斜片１ｆと、該傾斜片１ｆの端部から垂下する水切り片１ｇと、該水切り片１ｇの下部から建物の内側（図１の右側）に向かって折曲され、外部通気穴1h1を有する底片１ｈとを有し、これらの各片１ａ〜１ｈは一体成形される。壁取付片１ａの下部と、底片１ｈとの間には建物の内側（図１の右側）に開口部７を有する。
【００１３】
土台水切り材１は、例えば、スチール、ステンレス、アルミニウム等の１枚の金属板からベンダー加工、ロールフォーミング等により容易に成形出来る。繋ぎ片１ｂに設けられる内部通気穴1b1と、底片１ｈに設けられる外部通気穴1h1は切り板の状態で穴開け加工をすることにより容易に製作出来る。
【００１４】
土台水切り材１は、縦胴縁３が挿入出来る空間と、床下に通気が出来るように開口させた開口部７との２箇所の開放形状を有するため、全体の形状自体を極端な袋形状とすることを避けることが出来、ベンダー加工、或いはロールフォーミング成形の場合等のプレスによる切断が容易となる。
【００１５】
上記土台水切り材１を備えた通気壁用土台構造としては、図１に示すように、土台水切り材１の壁取付片１ａを建物の壁下地２に釘やビス等の固定具６により固定する。壁下地２の表面には土台水切り材１の壁取付片１ａにオーバーラップするように防水シート11が敷設される。そして、土台水切り材１の壁取付片１ａと繋ぎ片１ｂと縦胴縁取付片１ｃとにより形成された空間内に縦胴縁３の下端部を挿入する。そして、建物の外側（図１の左側）から折り返し片１ｅと、縦胴縁取付片１ｃと、縦胴縁３と、壁取付片１ａとを一体的に建物の壁下地２に釘やビス等の固定具６により固定し、土台水切り材１の底片１ｈに設けた外部通気穴1h1と、土台水切り材１の壁取付片１ａの下部と底片１ｈとの間に設けた開口部７と、建物の基礎８に設けられた換気穴９とを介して建物の床下に通気が出来るように構成される。
【００１６】
最下段となる１段目の外壁材４の下部をスタータ片１ｄに載置して装着し、該外壁材４を縦胴縁３に固定する。順次上段に外壁材４を葺成して壁下地２の全面に亘って外壁材４を縦胴縁３に固定する。
【００１７】
尚、上段の外壁材４の固定方法については、縦胴縁３を省略して壁下地２に図示しない固定金具を介して上段の外壁材４を固定することでも良いし、縦胴縁３に図示しない固定金具を介して上段の外壁材４を固定することでも良い。
【００１８】
本実施形態では横張りの外壁材４の下部を載置するスタータ片１ｄの一例として建物の外側（図１の左側）に向かって水平に延長された水平片と該水平片の端部から所定の傾斜角度で上方に折曲された傾斜片とを有して構成した場合の一例を示すが、縦張りの外壁材４の下部を載置するスタータ片１ｄとしては建物の外側（図１の左側）に向かって水平に延長された水平片のみを有する構成としても良い。
【００１９】
土台水切り材１は、壁取付片１ａと縦胴縁取付片１ｃとの間に縦胴縁３の下端部を挿入させ、繋ぎ片１ｂからなる水切り自体を一般に防水層となる縦胴縁３の下に取り付けることが出来るので、壁下地２の表面と外壁材４の裏面との間で縦胴縁３により構成される通気空間５内に侵入した雨水を繋ぎ片１ｂにより容易に排水させることが出来る。また、スタータ片１ｄの直下の胴縁取付片１ｃを建物躯体に固定することが出来、スタータ片１ｄと胴縁取付片１ｃとが折り返し片１ｅにより二重構造とされているためスタータ片１ｄの強度を向上させることが出来る。
【００２０】
壁下地２の表面と外壁材４の裏面との間で縦胴縁３により構成される通気空間５内に侵入した雨水は繋ぎ片１ｂにより一旦受けて内部通気穴1b1から底片１ｈに排水され、更に外部通気穴1h1から外部に排水される。
【００２１】
土台水切り材１の底片１ｈに設けた外部通気穴1h1と、壁取付片１ａの下部と該底片１ｈとの間に設けた開口部７と、建物の基礎８に設けられた換気穴９とを介して建物の床下に通気が出来、更に底片１ｈに設けた外部通気穴1h1と、繋ぎ片１ｂに設けた内部通気穴1b1とを介して、壁下地２の表面と外壁材４の裏面との間で縦胴縁３により構成される通気空間５内に通気出来る。
【００２２】
図１に示すように、基礎８の表面にモルタル10による仕上げを行う場合には、土台水切り材１の底片１ｈを定規としてモルタル10の上面10ａの仕上げを容易に行うことが出来る。
【産業上の利用可能性】
【００２３】
本発明の活用例として、建物の壁下地に縦胴縁が固定され、該縦胴縁に外壁材が固定されて、前記壁下地の表面と前記外壁材の裏面との間に通気空間が形成された通気壁用土台水切り材、及びそれを備えた通気壁用土台構造に適用出来る。
【符号の説明】
【００２４】
１    …土台水切り材
１ａ  …壁取付片
１ｂ  …繋ぎ片
1b1   …内部通気穴
１ｃ  …縦胴縁取付片
１ｄ  …スタータ片
１ｅ  …折り返し片
１ｆ  …傾斜片
１ｇ  …水切り片
１ｈ  …底片
1h1   …外部通気穴
２    …壁下地
３    …縦胴縁
４    …外壁材
５    …通気空間
６    …固定具
７    …開口部
８    …基礎
９    …換気穴
10…モルタル
10ａ…上面
11    …防水シート
【図１】
2011236704.tif 000003
【図２】
2011236704.tif 000004